(57)【要約】【課題】ロック爪を備えた電子機器においてもバッテリの収容が容易になると共に、ロック爪によるバッテリの位置決めが確実に行なわれるバッテリ装着機構を提供することを目的とする。【解決手段】バッテリ１１２を収容するバッテリ収容凹部１０９と、前記バッテリ収容凹部１０９に隣接軸支され前記バッテリ収容凹部１０９を開放又は閉止する蓋部１０５と、を備え、前記バッテリ収容凹部１０９は、開口部近傍にバッテリ１１２を位置決めする位置に付勢されたロック爪１１０を備え、前記蓋部１０５は、バッテリ１１２の角部に当接するバッテリ受け部１０７を備える、ことを特徴とする【選択図】図２
2011145433.tif 000002
【特許請求の範囲】
【請求項１】
バッテリを収容するバッテリ収容凹部と、
前記バッテリ収容凹部に隣接軸支され前記バッテリ収容凹部を開放又は閉止する蓋部と、を備え、
前記バッテリ収容凹部は、
開口部近傍にバッテリを位置決めする位置に付勢されたロック爪を備え、
前記蓋部は、
バッテリの角部に当接するバッテリ受け部を備える、
ことを特徴とするバッテリ装着機構。
【請求項２】
前記蓋部は、
弾性を有する材料によって形成されている、
ことを特徴とする請求項１に記載のバッテリ装着機構。
【発明の詳細な説明】
【技術分野】
【０００１】
本発明は、電子機器のバッテリ装着機構に関するものである。
【背景技術】
【０００２】
電子機器のバッテリ装着機構に関する先行技術文献として、特許文献１がある。特許文献１に記載のバッテリ装着機構は、電子機器の筐体にバッテリ収容凹部と、ヒンジ部を支点としてバッテリ収容凹部に開閉動作する蓋部とを備え、蓋部の閉止動作に連動してバッテリをバッテリ収容凹部の装着位置に位置決めするようにしたものである。
【０００３】
特許文献１に記載のバッテリ装着機構は、蓋部を閉止動作すると、この動作に連動して蓋部の一部がバッテリを押圧操作し、バッテリ収容凹部の装着位置に位置決めすると共に、バッテリの電極をバッテリ収容凹部の電極端子に電気的に接続させることができる。
【０００４】
しかし、蓋部には、開閉機構に起因するガタが不可避的に発生する。このガタは、電子機器が振動したときに、バッテリの電極と電子機器の電極端子との接続を不安定にする。そこで、蓋部とは別個独立にバッテリを位置決めするロック爪を備えた電子機器が知られている。
【０００５】
ロック爪を備えた電子機器の一例を説明する。図４は、デジタルカメラ４００の天地を逆にして載置した状態を示す斜視図である。蓋部４０１は、開放されている。ロック爪４０２を矢印Ｆに示す向きにスライドさせながら、バッテリ収容凹部４０３にバッテリ４１０を収容する。ロック爪４０２は、矢印Ｆに示す向きと逆向きに付勢されているので、バッテリ収容凹部４０３にバッテリ４１０が完全に収容されると、ロック爪４０２が矢印Ｆに示す向きと逆向きにスライドしてバッテリ４１０を位置決めする。
【０００６】
バッテリ収容凹部４０３の底面には、バッテリ４１０を押し出す方向に付勢する図示しない付勢部材が備えられている。ロック爪４０２がスライドする方向と矢印Ｇに示すバッテリ４１０を収容する方向とは直交しているので、ロック爪４０２は、バッテリ４１０を安定して位置決めすることができる。付勢部材は、バッテリ４１０の取出しを容易にすると共に、バッテリ４１０をロック爪４０２に押し当てることによってバッテリ４１０の振動を防止する。
【先行技術文献】
【特許文献】
【０００７】
【特許文献１】特開平７−６７００７号公報
【発明の概要】
【発明が解決しようとする課題】
【０００８】
ロック爪を備えた電子機器のバッテリ収容凹部にバッテリを収容させるためには、１）蓋部を開放する、２）ロック爪をスライドさせる、４）バッテリを収容させる、４）蓋部を閉止する、四つの動作が必要になり煩瑣である。また、ロック爪がバッテリを位置決めしたことを確認せずに蓋部を閉止してしまうと、電子機器の動作中にバッテリの電極と電子機器の電極端子との接続が不安定になる。
【０００９】
ここで、ロック爪を備えた電子機器に特許文献１に記載のバッテリ装着機構を適用することによって、バッテリをロック爪による位置決め位置まで強制的に押し込む機構を採用すると、蓋部の一部がロック爪によるバッテリの位置決め位置を越えてバッテリを押し込む機構とならざるを得ない。
【００１０】
そうすると、ロック爪によるバッテリの位置決め位置は、バッテリ収容凹部の底面に備えられた付勢部材の付勢力と、バッテリの電極と電子機器の電極端子の接続安定性とがバランスする位置に設定されているにも関わらず、これを越えてバッテリを押し込んでしまうので、付勢部材に過大な負荷をかけることになり付勢部材の経年劣化が懸念される。
【００１１】
また、蓋部を閉止した状態においては、蓋部の一部がバッテリを押圧する状態が維持されるので、開閉機構に起因するガタが直接バッテリに伝わってしまい、ロック爪を別個独立に備えた意義が半減する。
【００１２】
本発明は、前記課題を解決し、ロック爪を備えた電子機器においてもバッテリの収容が容易になると共に、ロック爪によるバッテリの位置決めが確実に行なわれるバッテリ装着機構を提供することを目的とする。
【課題を解決するための手段】
【００１３】
前記課題を解決するために、本発明のバッテリ装着機構は、バッテリを収容するバッテリ収容凹部と、前記バッテリ収容凹部に隣接軸支され前記バッテリ収容凹部を開放又は閉止する蓋部と、を備え、前記バッテリ収容凹部は、開口部近傍にバッテリを位置決めする位置に付勢されたロック爪を備え、前記蓋部は、バッテリの角部に当接するバッテリ受け部を備える、ことを特徴とする。
【００１４】
この構成により、蓋部に備えられたバッテリ受け部が、蓋部の閉止動作に伴ってバッテリをバッテリ収容凹部の一方の側壁に対して斜めに押圧し、この押圧力がバッテリとバッテリ収容凹部の一方の側壁との静止摩擦力を超えたときに、バッテリがバッテリ収容凹部の底面へ向けて勢いよく押し込まれるので、バッテリを位置決めする位置に付勢されたロック爪によってバッテリが確実に位置決めされる。
【発明の効果】
【００１５】
以上のように、本発明によれば、蓋部の閉止動作によってバッテリが確実に位置決めされるので、ロック爪を備えた電子機器においてもバッテリの収容が容易になると共に、ロック爪によるバッテリの位置決めが確実に行なわれるバッテリ装着機構を提供することができる。
【図面の簡単な説明】
【００１６】
【図１】本発明のバッテリ装着機構を採用したデジタルカメラの三面図
【図２】本発明のバッテリ装着機構を採用したデジタルカメラの断面図
【図３】ロック爪の動作を説明する図
【図４】デジタルカメラの天地を逆にして載置した状態を示す斜視図
【発明を実施するための形態】
【００１７】
（実施の形態）
以下、本発明のバッテリ装着機構をデジタルカメラに採用した実施の形態について、図面を用いて詳細に説明する。なお、デジタルカメラは、電子機器の一例である。
（１．構成）
（１−１．外観）
図１は、本発明のバッテリ装着機構を採用したデジタルカメラ１００の三面図である。図１（ａ）は正面図であり、図１（ｂ）は背面図であり、図１（ｃ）は底面図である。図１（ｃ）に示す底面図において、上段は蓋部１０５を閉止した状態であり、下段は蓋部１０５を開放した状態である。蓋部１０５は、図１（ｃ）上段に示す閉止状態から図１（ｃ）下段に示す開放状態まで、図面手前側に９０度以上回動する。
【００１８】
レンズバリア１０１を矢印Ａに示す向きにスライドさせると、光学系が露出すると共に、デジタルカメラ１００の電源が投入される。液晶モニタ１０２に被写体が表示されるので、構図を決定してシャッタボタン１０３を押下すると被写体の画像データを得ることができる。液晶モニタ１０２に表示されたメニュー画面に従って操作ボタン群１０４を操作することによって、撮影や再生に関する詳細な設定を行うことができる。
【００１９】
デジタルカメラ１００の底面には、バッテリ１１２とメモリカード１１３を収容するバッテリ収容凹部１０９が設けられている。図１（ｃ）上段に示す蓋部１０５の閉止状態において、スライドノブ１０６をＬＯＣＫ側にスライドさせることによって、蓋部１０５が開放状態に至らないようにロックすることができる。一方、蓋部１０５を開放するためには、スライドノブ１０６をＯＰＥＮ側にスライドさせればよい。
【００２０】
図１（ｃ）下段に示すように、蓋部１０５の裏面には、閉止動作によってバッテリ１１２の角部に当接するバッテリ受け部１０７が設けられている。また、蓋部１０５は、バッテリ収容凹部１０９に隣接するヒンジ１０８によって、回動可能に軸支されている。
【００２１】
図１（ｃ）の下段に示す蓋部１０５の開放状態において、バッテリ１１２は、ロック爪１１０によって位置決め位置に位置決めされている。この状態においては、ロック爪１１０の押さえ部１１１がバッテリ１１２の一部に当接している。ロック爪１１０を矢印Ｂに示す向きにスライドさせると、押さえ部１１１がバッテリ１１２の一部に当接しなくなるので、バッテリ１１２はバッテリ収容凹部１０９の底面に設けられた付勢部材によって、図面手前側に押し出される。ロック爪１１０は、矢印Ｂに示す向きと逆向きに付勢されているので、バッテリ１１２の位置決めが不用意に解除されることはない。
（２．動作）
図２は、本発明のバッテリ装着機構を採用したデジタルカメラ１００の断面図である。デジタルカメラ１００を正面から見た状態において、バッテリ１１２を含む断面を示している。レンズバリア１０１が排除されるので、光学系１１４が視認される。
【００２２】
デジタルカメラ１００の天地は逆である。バッテリ収容凹部１０９にバッテリ１１２やメモリカード１１３を収容する際は、通常、デジタルカメラ１００を天地逆に把持して行なうことになる。
【００２３】
図２（ａ）〜（ｅ）は、蓋部１０５を開放しバッテリ１１２をバッテリ収容凹部１０９に仮収容した状態から、蓋部１０５を閉止してデジタルカメラ１００が使用可能になった状態までを時系列に示している。
【００２４】
図２（ａ）は、蓋部１０５を開放しバッテリ１１２をバッテリ収容凹部１０９に仮収容した状態を示す。バッテリ１１２の底面は、バッテリ収容凹部１０９の底面に設けられた付勢部材１１５に当接しているが、バッテリ１１２に対して、それ以外の力は作用していない。ロック爪１１０の押さえ部１１１は、バッテリ１１２の側面に当接している。従って、ロック爪１１０は、付勢力に抗して矢印Ｃに示す向きにスライドしている。
【００２５】
図２（ｂ）は、蓋部１０５の一端に設けられたヒンジ１０８を中心に蓋部１０５を時計回りに回動させてバッテリ受け部１０７がバッテリ１１２の角部に当接した状態を示す。この状態においても、バッテリ１１２に対して力は作用していない。バッテリ受け部１０７は、バッテリ１１２の角部を受ける形状をなすが、その後の蓋部１０５の回動を円滑に行なうために、バッテリ１１２の角部に正確に密接する形状をなすものとはしていない。また、バッテリ受け部１０７は、その一部をリブ構造１１６にすることによって強度を高めている。
【００２６】
なお、バッテリ受け部１０７は、図２に示すようにリブ構造１１６としてもよいし、単にバッテリ１１２の角部を当接保持する形状としてもよい。また、蓋部１０５に凹部を設けてバッテリ１１２の角部を当接保持するようにしてもよい。
【００２７】
図２（ｃ）は、図２（ｂ）に示す状態から蓋部１０５を時計回りにさらに回動させた状態を示す。バッテリ受け部１０７は、バッテリ１１２をバッテリ収容凹部１０９の側壁１１７に対して斜めに押圧する。矢印Ｄは、この押圧力を示している。この状態においては、バッテリ受け部１０７による押圧力によって、バッテリ１１２は、付勢部材１１５の付勢力に抗してバッテリ収容凹部１０９の底面に向けて若干移動するものの、バッテリ１１２とバッテリ収容凹部１０９の側壁１１７との静止摩擦力が、バッテリ受け部１０７による押圧力に勝るので、バッテリ１１２は、静止している。
【００２８】
図２（ｄ）は、図２（ｃ）に示す状態から蓋部１０５を時計回りにさらに回動させた状態を示す。蓋部１０５を時計回りにさらに回動させると、矢印Ｄに示す押圧力も時計回りに回転する。そうすると、バッテリ１１２をバッテリ収容凹部１０９の側壁１１７に押圧する分力Ｄ１が相対的に小さくなる一方、バッテリ１１２をバッテリ収容凹部１０９の底面に向けて押圧する分力Ｄ２が相対的に大きくなる。
【００２９】
そこで、バッテリ１１２をバッテリ収容凹部１０９の底面に向けて押圧する分力Ｄ２が、バッテリ１１２をバッテリ収容凹部１０９の側壁１１７に押圧する分力Ｄ１によって発生するバッテリ１１２とバッテリ収容凹部１０９の側壁１１７との静止摩擦力を超えると、バッテリ１１２が付勢部材１１５の付勢力に抗してバッテリ収容凹部１０９の底面へ向けて勢いよく押し込まれる。同時に、矢印Ｅに示す向きに付勢されているロック爪１１０によってバッテリ１１２が位置決め位置に確実に位置決めされる。
【００３０】
なお、このとき、蓋部１０５が弾性をもつ材料で構成されていれば、弾性変形した蓋部１０５の復元力がバッテリ１１２をバッテリ収容凹部１０９の底面へ向けて押し込む力として作用するので、より効果的である。また、バッテリ収容凹部１０９の側壁１１７は、バッテリ１１２をバッテリ収容凹部１０９の底面に向けて押圧する分力Ｄ２と、バッテリ１１２をバッテリ収容凹部１０９の側壁１１７に押圧する分力Ｄ１によって発生するバッテリ１１２とバッテリ収容凹部１０９の側壁１１７との静止摩擦力とのバランス点を考慮した材料を用いて構成してもよい。例えば、バッテリ収容凹部１０９が樹脂で成型されているとしても、側壁１１７には、バッテリ収容凹部１０９に用いられた樹脂とは異なる静止摩擦係数を有するシートを貼付すること等が考えられる。
【００３１】
図２（ｅ）は、蓋部１０５によってバッテリ収納凹部１０９を閉止した状態を示す。この状態から、蓋部１０５のスライドノブ１０６をＬＯＣＫ側にスライドさせれば、デジタルカメラ１００が使用可能な状態になる。
【００３２】
なお、図２においては、ロック爪１１０の動作が若干理解しにくいものと思われるので、拡大図を示す。図３は、ロック爪１１０の動作を説明する図である。図３（ａ）は図２（ａ）と同じ状態であり、図３（ｂ）は図２（ｄ）と同じ状態である。
【００３３】
図３（ａ）においては、ロック爪１１０の押さえ部１１１は、バッテリ１１２の側面に当接しており、ロック爪１１０は、付勢力に抗して図面右側にスライドしている。一方、図３（ｂ）においては、ロック爪１１０が付勢力によって図面左側にスライドして、バッテリ１１２を位置決め位置に位置決めしている。
（その他の実施の形態）
以上、本発明のバッテリ装着機構をデジタルカメラに採用した実施の形態について説明した。しかし、本発明のバッテリ装着機構を、バッテリを用いる様々な電子機器に採用できることはいうまでもない。また、直方形状のバッテリに限らず、円筒形状のバッテリであっても本発明のバッテリ装着機構を採用することができる。
【産業上の利用可能性】
【００３４】
本発明によれば、蓋部の閉止動作によってバッテリが確実に位置決めされるので、デジタルカメラ、デジタルビデオカメラ、ＰＤＡ等、バッテリを用いる様々な電子機器に採用することができる。
【符号の説明】
【００３５】
１００    デジタルカメラ
１０１    レンズバリア
１０２    液晶モニタ
１０３    シャッタボタン
１０４    操作ボタン群
１０５    蓋部
１０６    スライドノブ
１０７    バッテリ受け部
１０８    ヒンジ
１０９    バッテリ収容凹部
１１０    ロック爪
１１１    押さえ部
１１２    バッテリ
１１３    メモリカード
１１４    光学系
１１５    付勢部材
１１６    リブ
１１７    側壁
【図１】
2011145433.tif 000003
【図２】
2011145433.tif 000004
【図３】
2011145433.tif 000005
【図４】
2011145433.tif 000006